(57)【要約】【課題】  建物のフロア毎の各種端末機器に関する設定情報のデータリストの確認や、各フロアの平面図画像データの編集を、現場で容易に行うことができるようにする。【解決手段】  複数の端末機器が接続された火災受信機２を介して送られてくる各端末機器の状態情報に基づいて、表示部１５に表示されている建物内のフロアの平面図上に配置された状態情報に対応する端末機器のシンボルの表示を変化させるものにおいて、表示部１５に設けたメニューバー表示エリアにデータリストスイッチを表示し、このデータリストスイッチに対応して設定された各端末機器に関する設定情報の一覧情報をデータとして有し、データリストスイッチの操作に応じて、各端末機器に関する設定情報の一覧情報を表示部に表示するデータリスト表示制御手段を設ける。【選択図】        図１
2006004240.tif 000002
【特許請求の範囲】
【請求項１】
複数の端末機器が接続された火災受信機に接続されて、該火災受信機を介して送られてくる各端末機器の状態情報に基づいて、表示部に表示されている建物内のフロアの平面図上に配置された前記状態情報に対応する端末機器のシンボルの表示を変化させる火災表示装置において、
前記表示部に設けたメニューバー表示エリアにデータリストスイッチを表示し、該データリストスイッチに対応して設定された各端末機器に関する設定情報の一覧情報をデータとして有し、該データリストスイッチの操作に応じて、前記各端末機器に関する設定情報の一覧情報を前記表示部に表示するデータリスト表示制御手段を備えることを特徴とする火災表示装置。
【請求項２】
前記各端末機器に関する設定情報は、各端末機器のアドレス、種別、棟階区番、オプションメッセージ、前記平面図の画像データナンバー等の情報であることを特徴とする請求項１記載の火災表示装置。
【請求項３】
前記データリスト表示制御手段は、前記各端末機器の設定情報の中から一つが指定されたときに、該当する端末機器を確認可能な検索機能を有することを特徴とする請求項２記載の火災表示装置。
【請求項４】
複数の端末機器が接続された火災受信機に接続されて、該火災受信機を介して送られてくる各端末機器の状態情報に基づいて、表示部に表示されている建物内のフロアの平面図上に配置された前記状態情報に対応する端末機器のシンボルの表示を変化させる火災表示装置において、
前記表示部に設けたメニューバー表示エリアにデータ編集モードスイッチを表示し、該データ編集モードスイッチに対応して設定された建物のフロア毎の平面図画像の情報とこれら平面図画像の一覧情報をデータとして有し、該データ編集モードスイッチの操作に応じて、前記平面図画像の一覧情報を前記表示部に表示し、該平面図画像の一覧情報の中の一つが指定されると、該当する平面図画像を前記表示部に表示し、編集ツールを用いて編集可能とし、かつ編集された平面図画像のデータを記憶部に記憶可能とするデータ編集制御手段を備えることを特徴とする火災表示装置。
【請求項５】
前記表示部に表示される平面図画像には、データ編集専用シートが重ね合わせられ、前記編集ツールを用いて該データ編集専用シート上に描画可能で、編集されたデータ編集専用シートはこれを重ね合わせていた前記平面図画像データと関連付けられて前記記憶部に記憶されることを特徴とする請求項４記載の火災表示装置。
【請求項６】
データ編集制御手段は、通常モードの状態で前記フロア毎の平面図画像の一覧情報の中からの指定操作に応じて該当する平面図画像を前記表示部に表示する際に、前記記憶部に予め記憶されている建物のフロア毎の平面図画像データの中から前記指定されたフロアの平面図画像データを読み出して前記表示部上に表示し、次にこの読み出された平面図画像データと関連付けられたデータ編集専用シートを前記記憶部から読み出して、重ね合わせて表示することを特徴とする請求項５記載の火災表示装置。
【請求項７】
前記平面図画像データに重ね合わせられるデータ編集専用シートで編集可能なデータは、間仕切り線および部屋名称であることを特徴とする請求項４乃至請求項６のいずれかに記載の火災表示装置。
【発明の詳細な説明】
【技術分野】
【０００１】
本発明は、各種端末機器のシンボルが配置される建物のフロアの平面図を表示部に表示する火災表示装置に係り、より詳しくは、各種端末機器に関する設定情報のデータリストの表示、及び平面図画像データの編集を現場で行える火災表示装置に関する。
【背景技術】
【０００２】
従来この種の火災表示装置は、火災報知設備、つまり複数の端末機器が接続された火災受信機に接続されて、双方向通信を行い、火災受信機から送られてくる各種情報を表示部に表示する。例えば、端末機器の状態情報を受信すると、表示部に表示されている建物内のフロアの平面図上に配置された前記状態情報に対応する端末機器のシンボルの表示を変化させる。
この端末機器のシンボルが配置される建物のフロアの平面図を表示部に表示するために、記憶部には、建物のフロア毎の平面図を表す平面図画像データと、各平面図における各端末機器の種類と設置位置、識別符合等を示す端末機器設定データとを予め記憶しており、これらデータの重ね合わせで、端末機器のシンボルが配置される建物のフロアの平面図が構成されて表示されるようになっている（例えば特許文献１）。
【０００３】
【特許文献１】特開平５−２８３８０号公報
【発明の開示】
【発明が解決しようとする課題】
【０００４】
ところで、平面図画像データと端末機器設定データは、外部のデータ作成装置で作成されて記憶部に格納されるようになっており、安全性の観点から、基本的に火災表示装置で確認や編集ができないようになっている。そのため、施工終了段階等において、端末機器を実動作させて、シンボルの表示が変化した端末機器の平面図上の配置場所の確認をしたり、このシンボルをクリックしてポップアップウィンドウ表示される関連情報の内容を確認して、端末機器設定データに間違いや漏れがないことを確認していた。
【０００５】
また、既述したように従来は記憶部に格納された平面図画像データを現場で編集することができなかったため、テナント等の変更がある度、外部のデータ作成装置を用いてその変更があった建物の平面図画像データの編集を行なわなければならず、その作業に時間と費用を要し、ランニングコストの上昇を招いていた。そのため、これらの変更を現場で容易にできるようにしてもらいたいという要望があった。
【０００６】
本発明の技術的課題は、建物のフロア毎の各種端末機器に関する設定情報のデータリストの確認や、各フロアの平面図画像データの編集を、現場で容易に行うことができるようにすることにある。
【課題を解決するための手段】
【０００７】
（１）本発明に係る火災表示装置は、下記の構成からなるものである。すなわち、複数の端末機器が接続された火災受信機に接続されて、この火災受信機を介して送られてくる各端末機器の状態情報に基づいて、表示部に表示されている建物内のフロアの平面図上に配置された状態情報に対応する端末機器のシンボルの表示を変化させる火災表示装置において、表示部に設けたメニューバー表示エリアにデータリストスイッチを表示し、このデータリストスイッチに対応して設定された各端末機器に関する設定情報の一覧情報をデータとして有し、データリストスイッチの操作に応じて、各端末機器に関する設定情報の一覧情報を表示部に表示するデータリスト表示制御手段を備えるものである。
（２）本発明に係る火災表示装置は、前記（１）において、各端末機器に関する設定情報は、各端末機器のアドレス、種別、棟階区番、オプションメッセージ、平面図の画像データナンバー等の情報からなるものである。
（３）本発明に係る火災表示装置は、前記（２）において、データリスト表示制御手段は、設定情報の中から一つが指定されたときに、該当する端末機器を確認可能な検索機能を有するものである。
（４）本発明に係る火災表示装置は、下記の構成からなるものである。すなわち、複数の端末機器が接続された火災受信機に接続されて、この火災受信機を介して送られてくる各端末機器の状態情報に基づいて、表示部に表示されている建物内のフロアの平面図上に配置された状態情報に対応する端末機器のシンボルの表示を変化させる火災表示装置において、表示部に設けたメニューバー表示エリアにデータ編集モードスイッチを表示し、このデータ編集モードスイッチに対応して設定された建物のフロア毎の平面図画像の情報とこれら平面図画像の一覧情報をデータとして有し、データ編集モードスイッチの操作に応じて、平面図画像の一覧情報を表示部に表示し、平面図画像の一覧情報の中の一つが指定されると、該当する平面図画像を前記表示部に表示し、編集ツールを用いて編集可能とし、かつ編集された平面図画像のデータを記憶部に記憶可能とするデータ編集制御手段を備えるものである。
（５）本発明に係る火災表示装置は、前記（４）において、表示部に表示される平面図画像には、データ編集専用シートが重ね合わせられ、編集ツールを用いてデータ編集専用シート上に描画可能で、編集されたデータ編集専用シートはこれを重ね合わせていた前記平面図画像データと関連付けられて記憶部に記憶されるものである。
（６）本発明に係る火災表示装置は、前記（５）において、データ編集制御手段は、通常モードの状態でフロア毎の平面図画像の一覧情報の中からの指定操作に応じて該当する平面図画像を表示部に表示する際に、記憶部に予め記憶されている建物のフロア毎の平面図画像データの中から前記指定されたフロアの平面図画像データを読み出して表示部に表示し、次にこの読み出された平面図画像データと関連付けられたデータ編集専用シートを前記記憶部から読み出して、重ね合わせて表示するものである。
（７）本発明に係る火災表示装置は、前記（４）〜（６）において、平面図画像データに重ね合わせられるデータ編集専用シートで編集可能なデータは、間仕切り線および部屋名称であることを特徴とするものである。
【発明の効果】
【０００８】
（１）本発明においては、表示部に設けたメニューバー表示エリアに表示されたデータリストスイッチが操作されたとき、このデータリストスイッチに対応して設定された各端末機器に関する設定情報の一覧情報を表示部に表示するようにしているので、現場にて各端末機器に関する設定情報を確認することができる。
（２）本発明においては、各端末機器に関する設定情報を、各端末機器のアドレス、種別、棟階区番、オプションメッセージ、平面図の画像データナンバー等とすることにより、これらの情報を現場にて容易に確認することができる。
（３）本発明においては、設定情報の中から一つを指定することで、該当する端末機器を検索して確認することができるので、検索のために端末機器を実動作させる必要がなく、該当する端末機器を見つける作業が容易となる。
なお、データリストの中の一つの端末機器が選択操作されたときに、該当する端末機器の配置された平面図が表示されるようにして、設置位置の確認を行えるようにしてもよい。
（４）本発明においては、表示部に設けたメニューバー表示エリアに表示されたデータ編集モードスイッチが操作されたとき、このデータ編集モードスイッチに対応して設定された平面図画像の一覧情報を表示部に表示し、平面図画像の一覧情報の中の一つが指定されると、該当する平面図画像を前記表示部に表示し、編集ツールを用いて編集可能とし、かつ編集された平面図画像のデータを記憶部に記憶できるようにしているので、テナント等の変更があった場合、データ編集制御手段により、現場にて平面図画像を編集することができる。このため従来のように、外部のデータ作成装置を使用する必要がなくなり、平面図画像の編集に費やす時間と費用を圧縮することが可能となり、ランニングコストを低減することができる。
（５）本発明においては、表示部に表示される平面図画像には、データ編集専用シートが重ね合わせられ、編集ツールを用いてデータ編集専用シート上に描画可能で、編集されたデータ編集専用シートはこれを重ね合わせていた前記平面図画像データと関連付けられて記憶部に記憶されるので、記憶部に元々記憶されている平面図画像データを変更しなくてもよいデータ編集方式、つまり元々入っているデータベースに影響を与えることなく新規データを追加できるデータ編集方式が可能となり、表示部に表示される平面図を変えることができる。このため、データ編集機能を持ちながら従来と同様に安全性を確保することができる。
（６）本発明においては、通常モードの状態で指定操作に応じて該当する平面図画像を表示部に表示する際に、記憶部に予め記憶されている建物のフロア毎の平面図画像データの中から前記指定されたフロアの平面図画像データを読み出して表示部に表示し、次にこの読み出された平面図画像データと関連付けられたデータ編集専用シートを記憶部から読み出して、重ね合わせて表示するので、編集した痕跡を残さずに、あたかも元々の画像であるかのように、編集した平面図画像を表示することができる。
（７）本発明においては、平面図画像データに重ね合わせられるデータ編集専用シートで編集可能なデータを、間仕切り線および部屋名称に限定して、それ以外（例えば各端末機器の設置位置など）は変更できないようにしているので、図形編集機能を有するにも拘わらず、安全性の確保が容易となる。
【発明を実施するための最良の形態】
【０００９】
図１は本発明の一実施形態に係る火災表示装置を組み込んだシステム全体の構成を示すブロック図、図２は本実施形態装置のＣＲＴ表示部の画面の基本構成を示す図、図３はデータリストスイッチ及びデータ編集モードスイッチのあるプルダウンメニュー画面の表示例を示す図、図４は各種データリスト画面の表示例を示す図、図５は各フロアの平面図画像データリスト画面の表示例を示す図、図６は平面図画像データの編集画面の表示例を示す図、図７は平面図画像データ編集動作を示すフローチャートである。
【００１０】
図１において、１は火災表示装置、２は火災表示装置１が接続された火災受信機である。この火災表示装置１と火災受信機２は、一体化した構成としてもよい。火災受信機２には、建物内に配設された各種の端末機器、例えば煙感知器２０、熱感知器２１、火災発見者が操作する発信機２２、地区ベル装置２３、ガス漏れ検知器２４，防火戸２５や、防災用動力である加圧排煙機２６，排煙機２７、消火ポンプ２８等が信号線を介して接続されている。
【００１１】
３は商用電源、４はスイッチがオフされたときに、火災表示装置１の制御部１９に移報信号を出力する機能を備えたブレーカ、５は火災表示装置１にブレーカ４を介して商用電源３からの電源を供給する予備電源装置である。この予備電源装置５は、停電したり予備電源の電圧が低下したときに制御部１９に電圧低下を知らせる信号を出力する。なお、火災表示装置１の制御部１９は、移報信号が入力されたとき、あるいは電圧低下を検知したときは火災表示装置１の動作を終了し、かつ予備電源装置５に電源断を制御する停止出力を発するようになっている。
【００１２】
１１は火災受信機２から移報される各種端末機器（煙感知器２０や熱感知器２１やガス漏れ検知器２４等）の状態情報を信号伝送により受信したり、各種の制御信号を送信するインターフェース部である。１２は火災受信機２によって定期的に実施される煙感知器２０や熱感知器２１等の端末機器の試験結果情報を外部記録媒体のフロッピー（登録商標）ディスク６に記録したり、そのフロッピー（登録商標）ディスク６に記録した前記試験結果情報等の各種情報を読み出したりする外部記録媒体駆動部（フロッピー（登録商標）ディスクドライバ等）である。この外部記録媒体駆動部１２は、制御部１９によって制御される。１３は制御部１９を動作させる制御プログラムや処理プログラム、データリストスイッチ及びデータ編集モードスイッチのあるプルダウンメニューの画像データ、各種端末機器に関する設定情報の一覧画像データ、各種端末機器のシンボルが配置された建物の各フロアの平面図画像データ、フロアを指定するためのフロア選択スイッチ画像データ、データ編集専用シートの画像データ、等が記憶されている例えばハードディスクからなる記憶部である。前記の処理プログラムには、本発明のデータリスト表示制御手段およびデータ編集制御手段の各機能をプログラミングしたものも含まれている。
【００１３】
１４は制御部１９の制御によって映出される画像を出力する画像出力部、１５は画像出力部１４から出力される画像を例えばＣＲＴに表示するＣＲＴ表示部、１６はマウス１７が接続される操作入力部で、ＣＲＴ表示部１５の画面上にポインタを表示し、マウス１７の移動操作に基づいてそのポインタを移動し、クリック操作による入力を判別して制御部１９に通知する。ここで、ＣＲＴ表示部１５の画面上には、後述する各種スイッチが表示されるようになっており、オペレータによるこの各種スイッチの選択操作は、選択したいスイッチ上にポインタを移動操作し、つぎに、クリック操作を行うことにより実施される。なお、前記移動操作やクリック操作は、画面上のタッチパネル操作でも可能となっている。また、表示部は必ずしもＣＲＴでなくともよく、ＬＣＤやプラズマ表示部等であってもよい。１８はＬＡＮを介して副表示機３０と接続するためのインターフェース部である。副表示機３０は、図示していないがＣＲＴ表示部を有し、このＣＲＴ表示部に火災表示装置１に表示されている画面を表示したり、画面を切り換える機能を備えている。
【００１４】
ＣＲＴ表示部１５の画面は、図２のようにグラフィックエリア、メニューバー表示エリア（プルダウンメニューを含む）、時刻表示エリア、平面キープランエリア、断面キープランエリア、防災用動力表示エリア、アラームリストエリア、消防活動支援表示エリア、及び基本表示操作エリアからなっている。
【００１５】
グラフィックエリアは、建物のフロアの平面図、各種端末機器に関する設定情報やこの設定情報のデータリスト等の画像を表示するエリアであり、プルダウンメニューを含むメニューバー表示エリアは、各種のスイッチを表示するエリアであり、時刻表示エリアは現在の日時を表示するエリアである。平面キープランエリアは、グラフィックエリアに表示された平面図と同じフロアの縮小全体平面図（図示せず）をウィンドウ表示するエリアであり、断面キープランエリアは、建物の全体の概略縦断面図をウィンドウ表示するエリアで、建物全体の階数が一目でわかるようになっている。具体的には、建物の各フロアに対応してフロア選択スイッチ５０が配列されたフロア選択ウィンドウ画面を表示するエリアであり、この各フロア選択スイッチ５０は、オペレータによる前記選択操作により、例えば、黒色反転表示に変化するとともに、対応するフロアの平面図がグラフィックエリアに表示される。また、発報、作動、異常等の状態情報が発生した端末機器に対応するフロア選択スイッチ５０は、例えば、赤色反転表示に変化して、発報、作動、異常等の警報状態を報知することができる。
【００１６】
防災用動力表示エリアは、例えば消火ポンプ表示エリアと排煙機表示エリアとからなり、状態変化した消火ポンプ２８や排煙機２７等を文字情報およびシンボル表示でウィンドウ表示するエリアである。状態変化とは、消火ポンプ２８や排煙機２７等が制御状態になったときや停止状態から動作状態になったとき、また異常状態になったときであり、火災受信機２からの状態情報に基づいて表示される。アラームリストエリアは、発報した煙感知器２０や熱感知器２１、手動あるいは自動で動作した排煙口、防火ダンパ等（図示せず）の状態変化した各種端末機器を時系列にウィンドウ表示するエリアである。消防活動支援表示エリアは、消防活動の支援に要する各種スイッチを備える画像を表示するためのエリアであり、基本表示操作エリアは、火災断定、画面消去、復旧、音響停止等を操作したり、その状態を表示するための各種スイッチを備える画像をウィンドウ表示するエリアである。
【００１７】
次に、前記のように構成された本実施形態の火災表示装置のデータリスト表示動作について図１乃至図４により説明する。まず図２に示す画面において、火災表示装置１の制御部１９は、メニューバー表示エリアに表示された「保守」スイッチの操作によるプルダウンメニュー（図３）の中の「データリスト」スイッチの選択を確認すると、記憶部１３から各端末機器に関する設定情報、つまり各端末機器のアドレス、種別、棟階区番、オプションメッセージ、平面図の画像データナンバー等の一覧情報の画像データを読み出して、図４のようにＣＲＴ表示部１５のグラフィックエリアに表示する。なお、画面上に表示されていない設定情報は、グラフィックエリアの右端に表示してあるスクロールバー８０を操作してグラフィックエリア画面をスクロールさせることで表示させることができる。また、ここではグラフィックエリア内の一覧情報画像データ表示部の上方にデータ検索ウィンドウ８１を設けており、制御部１９は、端末機器のアドレス、ＩＤ、種別、棟階区番、画面ナンバー等の検索用データのいずれかの入力があり「検索実行」スイッチの選択を確認すると、記憶部１３内の各端末機器に関する設定情報を検索し、該当する端末機器の設定情報のデータを例えば反転（又は色付け）表示する。なお、前記した検索用データの入力は、マウス１７によるテンキー８３操作等により、この検索したい設定情報に対応するセル８２に検索したいデータ（数字）の入力を行うことにより実施される。
【００１８】
このように、本実施形態の火災表示装置は、各端末機器に関する設定情報、つまり各端末機器のアドレス、種別、棟階区番、オプションメッセージ、平面図の画像データナンバー等の一覧情報をＣＲＴ表示部１５に表示できるようにしているので、現場にて各端末機器に関する各種の設定情報を確認することができる。
また、設定情報の中から一つを指定して検索し、確認することができる検索機能を有しているので、検索のために端末機器を実動作させる必要がなくなって、該当する端末機器を見つける作業が容易となる。
【００１９】
次に、本実施形態の火災表示装置のデータ編集動作について図５乃至７に基づき図１乃至図３を参照しながら説明する。まず、火災表示装置１の制御部１９は、メニューバー表示エリアに表示された「保守」スイッチの操作によるプルダウンメニュー（図３）の中の「データ編集」スイッチの選択を確認すると、ＣＲＴ表示部１５のグラフィックエリアに暗証番号入力ウィンドウ（図示せず）を表示する。そして、正確な暗証番号の入力を確認すると、平面図画像データ編集モードに移行し、平面図画像データ編集機能を有効とする（図７のフローチャート）。
【００２０】
まず制御部１９は、平面図画像データ編集モードが実行されると（ステップ１）、記憶部１３から建物のフロア毎の平面図画像の一覧情報のデータを読み出して、図５のようにＣＲＴ表示部１５に表示されるデータ編集画面上に編集ツール９０（データ編集画面内の右縁に表示エリアを設定）と共に表示する（ステップ２）。次いで、オペレータによる前記選択操作により編集可能な図面の選択があったことが確認されると（ステップ３）、記憶部１３から該当する平面図画像を読み出して、これに透明なデータ編集専用シートを重ね合わせた状態で図６のようにデータ編集画面上に色選択パレット９１（前記編集ツール９０の一部であり、データ編集画面内の下縁に表示エリアを設定）及び前記編集ツール９０と共に表示する（ステップ４）。これにより、色選択パレット９１や編集ツール９０を用いてデータ編集専用シート上に描画可能（編集個所は間仕切り９２や部屋名称９３に限定されている）となり、元々記憶されていた平面図画像データは保護される。
【００２１】
透明なデータ編集専用シートを重ね合わせた平面図画像が表示されると、制御部１９は、オペレータによって編集される個所が建屋の間仕切り９２であるか否かをみて（ステップ５）、間仕切り９２であれば、次に間仕切り９２の追加であるのか修正であるのかを使用される編集ツール９０から判断し（ステップ６）、間仕切り９２の修正であり、オペレータによって間仕切り線９２がデータ編集専用シート上で建屋のバック色と同一色で塗りつぶされ（ステップ７）、データ編集専用シート上で間仕切り９２を追加したい場所に線引きがされ（ステップ８）、登録スイッチ９４が前記選択操作されたことが確認されると、編集されたデータ編集専用シートをこれを重ね合わせていた平面図画像データと関連付けて記憶部１３に記憶し、ステップ９に進む。ステップ９では、編集項目全てに対応したか否かをオペレータの編集ツール９０の使用状態から判断し、つまり終了スイッチ９５が前記選択操作されたことが確認されなかったことにより、編集項目がまだあると判断されればステップ５に戻り、終了スイッチ９５が前記選択操作されたことが確認されたことにより、編集項目全てに対応したと判断されれば平面図画像データ編集モードを終了し（ステップ１０）、通常の監視状態に復帰する。
【００２２】
また、ステップ６にて使用される編集ツール９０から間仕切り９２の追加と判断されると、ステップ８に飛び、オペレータにより、データ編集専用シート上で間仕切り９２が線引きされ、登録スイッチ９４が操作されるのを待つ。
【００２３】
また、ステップ５にてオペレータによって編集される個所が建屋の間仕切り９２でないと判断されれば、次に、オペレータによって編集される個所は部屋名称９３か否かをみて（ステップ１１）、部屋名称９３であれば、次に部屋名称９３の追加であるのか修正であるのかを使用される編集ツール９０から判断し（ステップ１２）、部屋名称９３の修正であり、オペレータによって部屋名称９３がデータ編集専用シート上で建屋のバック色と同一色で塗りつぶされ（ステップ１３）、データ編集専用シート上で部屋名称９３を修正（追加）したい場所に部屋名称９３が記入され（ステップ１４）、登録スイッチ９４が前記選択操作されたことが確認されると、編集されたデータ編集専用シートをこれを重ね合わせていた平面図画像データと関連付けて記憶部１３に記憶し、ステップ９に進む。
【００２４】
また、ステップ１２にて使用される編集ツール９０から部屋名称９３の追加と判断されると、ステップ１４に飛び、オペレータにより、データ編集専用シート上で部屋名称９３が記入され、登録スイッチ９４が操作されるのを待つ。
【００２５】
また、ステップ１１にてオペレータによって編集される個所は部屋名称９３でないと判断されれば、ステップ９に飛ぶ。
【００２６】
なお、前述したデータ編集時、制御部１９は、データ編集専用シート上で建屋のバック色と同一色で塗りつぶされる部分に、元々の平面図画像上に各種端末機器のシンボル９６が配置されている場合、このシンボル９６部分への上書き（塗りつぶし）を禁止し、シンボル９６が優先表示されるように編集する。
【００２７】
また、制御部１９は、通常モードの状態で指定操作、例えば断面キープランエリアに表示されるフロア選択スイッチ５０の、オペレータによる前記選択操作に応じて該当する平面図画像をＣＲＴ表示部１５に表示する際に、記憶部１３に元々記憶されている建物のフロア毎の平面図画像データの中から前記指定されたフロアの平面図画像データを読み出してＣＲＴ表示部１５に表示し、次にこの読み出された平面図画像データと関連付けられたデータ編集専用シートを記憶部１３から読み出して、重ね合わせて表示する。このようにして、編集した平面図画像を表示することができる。
【００２８】
このように、本実施形態の火災表示装置は、メニューバー表示エリアに表示されたデータ編集モードスイッチが操作されたとき、このデータ編集モードスイッチに対応して設定された平面図画像の一覧情報を表示し、平面図画像の一覧情報の中の一つが指定されると、該当する平面図画像を表示し、編集ツールを用いて編集可能とし、かつ編集された平面図画像のデータを記憶できるようにしているので、テナント等の変更があった場合、データ編集制御手段により、現場にて平面図画像を編集することができる。このため平面図画像の編集に費やす時間と費用を圧縮することが可能となり、ランニングコストを低減することができる。
【００２９】
また、ＣＲＴ表示部１５に表示される平面図画像には、透明なデータ編集専用シートが重ね合わせられ、編集ツールを用いてデータ編集専用シート上に描画可能で、編集されたデータ編集専用シートはこれを重ね合わせていた前記平面図画像データと関連付けられて記憶部１３に記憶されるので、元々入っているデータベースに影響を与えることなく新規データを追加できるデータ編集方式が可能となり、ＣＲＴ表示部１５に表示される平面図を変えることができる。このため、データ編集機能を持ちながら従来と同様に安全性を確保することができる。
【００３０】
また、平面図画像データに重ね合わせられるデータ編集専用シートで編集可能なデータを、間仕切り線および部屋名称に限定して、それ以外（例えば各端末機器の設置位置など）は変更できないようにしているので、図形編集機能を有するにも拘わらず、安全性の確保が容易となる。なお、部屋名称とは、部屋の名称に限らず、その他の場所名称も含まれるものであってもよい。
【００３１】
前記実施の形態において、平面図画像を編集する際に、その編集個所データをデータ編集専用シート上に記憶して（データ編集専用シートデータ）、元々記憶部に記憶されている平面図画像データと別々のデータとして扱い、それぞれを明確に区別するようにした。このように、別々のデータとすればよいので、データ編集専用シート上へのデータに限定されない。また、元々記憶部に記憶されている平面図画像データに記憶するようにしてもよく、その場合は、編集個所データにはその編集情報を関連付けて記憶するようにすれば、元々記憶されているデータと明確に区別することができる。
【図面の簡単な説明】
【００３２】
【図１】本発明の一実施形態に係る火災表示装置を組み込んだシステム全体の構成を示すブロック図である。
【図２】本実施形態装置のＣＲＴ表示部の画面の基本構成を示す図である。
【図３】本実施形態装置のデータリストスイッチ及びデータ編集モードスイッチのあるプルダウンメニュー画面の表示例を示す図である。
【図４】本実施形態装置の各種データリスト画面の表示例を示す図である。
【図５】本実施形態装置の各フロアの平面図画像データリスト画面の表示例を示す図である。
【図６】本実施形態装置の平面図画像データの編集画面の表示例を示す図である。
【図７】本実施形態装置の平面図画像データ編集動作を示すフローチャートである。
【符号の説明】
【００３３】
１  火災表示装置
２  火災受信機
１３  記憶部
１４  画像出力部
１５  ＣＲＴ表示部
【図１】
2006004240.tif 000003
【図２】
2006004240.tif 000004
【図３】
2006004240.tif 000005
【図４】
2006004240.tif 000006
【図５】
2006004240.tif 000007
【図６】
2006004240.tif 000008
【図７】
2006004240.tif 000009